(57)【要約】【課題】天井への固定時における作業性を大幅に低下させることなく、照明器具を天井へ安定して固定できる天井埋込型照明器具を提案すること。【解決手段】ランプを収納してランプの光を光出口１ａから射出する内側が反射面に形成されたランプケース１と、ケース１の光出口部１ａ外周に配置された枠２と、枠２からケース１の側面方向へ斜めに延びて取付ようとする天井の開口部周縁と弾性力を利用して係合可能な板バネとを備え、その板バネを、２つの第１板バネ３ａ，３ａと、第１板バネより長さが短い２つの第２板バネ３ｂ、３ｂとから構成し、第１板バネ３ａ，３ａをケース１を挟んで対向配置し、第２板バネ３ｂ、３ｂを第１板バネ３ａ，３ａが対向する方向とほぼ直交する方向にケース１を挟んで対向配置した。【選択図】図１
2006040773.tif 000002
【特許請求の範囲】
【請求項１】
ランプを収納して前記ランプの光を光出口から射出する内側が反射面に形成されたランプケースと、
前記ケースの光出口部外周に配置された枠体と、
前記枠体から前記ケースの側面方向へ斜めに延びて取付ようとする天井の開口部周縁と弾性力を利用して係合可能な板バネとを備え、
前記板バネを、２つの第１板バネと、前記第１板バネより長さが短い２つの第２板バネから構成し、前記２つの第１板バネを前記ケースを挟んで対向配置し、前記２つの第２板バネを前記２つの第１板バネが対向する方向とほぼ直交する方向に前記ケースを挟んで対向配置した、天井埋込型照明器具。
【請求項２】
ランプを収納して前記ランプの光を光出口から射出する内側が反射面に形成されたランプケースと、
前記ケースの光出口部外周に配置された枠体と、
前記枠体から前記ケースの側面方向へ斜めに延びて取付ようとする天井の開口部周縁と弾性力を利用して係合可能な板バネとを備え、
前記板バネを、３つの第１板バネと、前記第１板バネより長さが短い１つの第２板バネから構成し、前記３つの第１板バネのうちの２つを前記ケースを挟んで対向配置し、残りの第１板バネと前記第２板バネとを前記２つの第１板バネが対向する方向とほぼ直交する方向に前記ケースを挟んで対向配置した、天井埋込型照明器具。
【請求項３】
前記第１板バネの先端に前記開口部周縁に引掛り可能な折曲部を設けた、請求項１または２に記載の天井埋込型照明器具。
【請求項４】
ランプを収納して前記ランプの光を光出口から射出する内側が反射面に形成されたランプケースと、
前記ケースの光出口部外周に配置された枠体と、
前記枠体から前記ケースの側面方向へ斜めに延びて取付ようとする天井の開口部周縁と弾性力を利用して係合可能な板バネとを備え、
前記板バネを、２つの第３板バネと、前記第３板バネより長さが短い２つの第４板バネと、前記第板バネより長さが短い２つの第５板バネから構成し、前記２つの第３板バネ、前記２つの第４板バネ、前記２つの第５板バネをそれぞれ前記ケースを挟んで対向配置した、天井埋込型照明器具。
【請求項５】
前記第３および第４板バネの先端に前記開口部周縁に引掛り可能な折曲部を設けた、請求項４記載の天井埋込型照明器具。
【請求項６】
前記各板バネ間における板ばねの長さの相違を、少なくとも前記天井の板厚より大きくした、請求項１ないし５のいずれかに記載の天井埋込型照明器具。
【発明の詳細な説明】
【技術分野】
【０００１】
本発明は照明器具、特に天井埋込型照明器具に関する。
【背景技術】
【０００２】
天井埋込型照明器具は、天井裏の空間に挿入され天井に固定されて使用される。そしてその固定は、照明器具の光出口部（光出射部）に設けられた取付バネをその弾性力を利用して天井の開口縁部に係合させて行っている。従来はその固定を、同じ長さの取付バネを２つまたは３つ利用して行っていた（例えば、特許文献１）。
【特許文献１】特開平９−１１５３２８号公報（図７、図９、図１０等）
【発明の開示】
【発明が解決しようとする課題】
【０００３】
しかしながら、取付バネを２または３つ利用した場合、取付バネの強度によってケース下端の枠体がたわみ、天井と枠体間に隙間が発生するおそれがあった。一方、同じ長さの取付バネを多数設けると、照明器具の固定状態は安定するものの、同時に多数の取付バネを操作しなければならず、固定の際の作業性が悪くなるという問題があった。
【０００４】
本発明は上記問題を解決するためになされたもので、照明器具の天井への固定時における作業性を大幅に低下させることなく、照明器具を天井へ安定して固定でき、天井と枠体間との間で隙間の生じることがない天井埋込型照明器具を提案するものである。
【課題を解決するための手段】
【０００５】
本発明の天井埋込型照明器具は、ランプを収納して前記ランプの光を光出口から射出する内側が反射面に形成されたランプケースと、前記ケースの光出口部外周に配置された枠体と、前記枠体から前記ケースの側面方向へ斜めに延びて取付ようとする天井の開口部周縁と弾性力を利用して係合可能な板バネとを備え、前記板バネを、２つの第１板バネと、前記第１板バネより長さが短い２つの第２板バネから構成し、前記２つの第１板バネを前記ケースを挟んで対向配置し、前記２つの第２板バネを前記２つの第１板バネが対向する方向とほぼ直交する方向に前記ケースを挟んで対向配置した、ものである。
【発明の効果】
【０００６】
本発明の天井埋込型照明器具によれば、互いに直交するように対向配置された２組の板バネによる４カ所の固定により天井への取付が安定し、ランプケース下端の枠体のゆがみが防止され、天井と枠体との間に隙間が発生するのを防止できる。また、長さの異なる２種類の板バネをそれぞれ対にしているので、１組の長い方の板バネと、１組の短い方の板バネとを順番に操作でき、その取付作業が容易となる。
【発明を実施するための最良の形態】
【０００７】
実施の形態１
図１は本発明の実施の形態１に係る天井埋込型照明器具の斜視図、図２は図１の照明器具を天井に固定するための板バネの配置説明図である。
この照明器具は、ランプを内部に収納してランプの光を光出口１ａから射出するランプケース１（以下、ケース１という）、ケース１の光出口１ａの外周を構成して、取付ようとする天井の開口周縁と係合する天井取付部材とを備える。ケース１は内側が光反射面として構成された筒状体であり、その外形は光出口１ａを形成している平面と直交するケース１の中心軸に対して基本的に対称となっている。なお、ケース１は筒状に限らず、回転楕円状、半球状等他の形状であってもよい。
【０００８】
天井取付部材は、ケース１の光出口１ａの先端部外周に配置された枠（または枠体）２と、この枠２からケース１の側面（外側壁面）１ｂ方向へ斜めに延びて天井の開口部周縁と弾性力を利用して係合可能な板バネとからなる。なお、ケース１と枠２とは一体成形で形成してもよい。
【０００９】
板バネは、一対の第１板バネ３ａ，３ａと、第１板バネ３ａより長さの短い一対の第２板バネ３ｂ，３ｂとからなる。第１板バネ３ａ，３ａはケース１を挟んで対向配置され、第２板バネ３ｂ，３ｂは第１板バネ３ａ，３ａが対向する方向とほぼ直交する方向にケース１を挟んで対向配置されている。すなわち、ケース１の光出口１ａ方向から見た各板バネの配置は図２に示すようになっている。第２板バネ３ｂの長さは、第１板バネ３ａより少なくとも天井の板厚分は短くするものとし、第１板バネ３ａの１／２程度とするのが好ましく、第１板バネ３ａの１／３程度とするのがより好ましい。このような板バネの長さの相違により、照明器具を天井に取付る際の操作性（または取扱性）が向上するからである。
なお、ここでは第１板バネ３ａおよび第２板バネ３ｂの枠２側を根本部３ａｒ，３ｂｒとし、第１板バネ３ａおよび第２板バネ３ｂの開放端側を先端部３ａｔ，３ｂｔとし、第１板バネ３ａの先端部３ａｔには天井の開口部周縁に引掛り可能な折曲部を設けている。
【００１０】
また、ケース１の光出口１ａと反対側の上部からは天板５がケース１の中心軸方向と略直交する方向に延ばされ、その天板５には、ランプの電流制御を行う安定器６や電源端子台７が搭載されている。
【００１１】
次に、上記照明器具の天井への取付方法の一例を図３の取付説明図を参照しながら説明する。まず、第１板バネ３ａ，３ａを操作しながら安定器７およびケース１を第１板バネ３ａ，３ａとともに天井８の開口部９から天井裏へ挿入し、第１板バネ３ａ，３ａの先端部（折曲部）３ａｔを天井８の開口部９周縁に掛止させて、照明器具を仮止めする（図３（ａ））。続いて、第２板バネ３ｂ，３ｂを操作しながら安定器７およびケース１を第１板バネ３ａ，３ａおよび第２板バネ３ｂ，３ｂとともに天井８の開口部９内へ更に挿入し、枠２が天井８の開口部９周縁に届くまで押し込む（図３（ｂ））。こうすることで、第１板バネ３ａ，３ａおよび第２板バネ３ｂ，３ｂの根本部３ａｒ，３ｂｒがその弾性力により開口部９周縁の内面を押し広げるよう開口部９の周縁に当たって係合し、照明器具が天井８に固定される（図３（ｃ））。  
【００１２】
実施の形態１の天井埋込型照明器具によれば、互いに直交するように対向配置された２組の板バネ３ａ，３ａと３ｂ，３ｂによる４カ所の固定により天井８への取付固定が安定し、ケース１下端の枠２のゆがみが防止され、天井８と枠２との間に隙間が発生するのを防止できる。また、長さの異なる２種類の板バネ３ａ，３ｂをそれぞれ対にして構成しているので、１組の長い方の板バネ３ａ，３ａと、１組の短い方の板バネ３ｂ，３ｂとを順番に操作でき、その取付作業が容易となる。
【００１３】
実施の形態２
図４は本発明の実施の形態２に係る天井埋込型照明器具の斜視図、図５は図４の照明器具を天井に固定するための板バネの配置説明図である。なお、この実施の形態２に係る天井埋込型照明器具は、板バネの構成を除いて上記実施の形態１と同じとなっている。
【００１４】
この場合の板バネは、３つの第１板バネ３ａ，３ａ、３ａと第１板バネ３ａより長さの短い１つの第２板バネ３ｂとからなる。そして、一対の第１板バネ３ａ，３ａをケース１を挟んで対向配置させ、残りの第１板バネ３ａと第２板バネ３ｂからなる一対の板バネを、一対の第１板バネ３ａ，３ａが対向する方向とほぼ直交する方向にケース１を挟んで対向配置させている。すなわち、ケース１の光出口１ａ方向から見た各板バネの配置は図５に示すようになっている。第２板バネ３ｂの長さは、第１板バネ３ａより少なくとも天井の板厚分は短くするものとし、第１板バネ３ａの１／２程度とするのが好ましく、第１板バネ３ａの１／３程度とするのがより好ましい。このような板バネの長さの相違により、照明器具を天井に取付る際の操作性がより向上するからである。
なお、ここでも第１板バネ３ａおよび第２板バネ３ｂの枠２側を根本部３ａｒ，３ｂｒとし、第１板バネ３ａおよび第２板バネ３ｂの開放端側を先端部３ａｔ，３ｂｔとし、第１板バネ３ａの先端部３ａｔには天井の開口部周縁に引掛り可能な折曲部を設けている。
【００１５】
次に、上記照明器具の天井への取付方法の一例を説明する。まず、３つの第１板バネ３ａのうちの１つの第１板バネ３ａを操作しながら安定器７およびケース１をその第１板バネ３ａとともに天井の開口部から天井裏へ挿入し、各第１板バネ３ａの先端部（折曲部）３ａｔを天井の開口部周縁に掛止させて、照明器具を仮止めする。続いて、残った２つの第１板バネ３ａ，３ａを操作しながら安定器７およびケース１をそれらの第１板バネ３ａ，３ａとともに天井の開口部から天井裏へ挿入し、それら２つの第１板バネ３ａの先端部（折曲部）３ａｔも同様に天井の開口部周縁に掛止させる。その後、第２板バネ３ｂを操作しながら安定器７およびケース１を先に挿入してある３つの第１板バネ３ａおよび後から挿入した第２板バネ３ｂとともに天井の開口部内へ更に挿入し、枠２が天井の開口部周縁に届くまで押し込む。こうすることで、３つの第１板バネ３ａおよび１つの第２板バネ３ｂの根本部３ａｒ，３ｂｒがその弾性力により開口部周縁の内面を押し広げるよう開口部周縁に当たって係合し、照明器具が天井に固定される。
【００１６】
実施の形態２の天井埋込型照明器具によれば、互いに直交するように対向配置された２組の板バネ３ａ，３ａと３ａ，３ｂによる４カ所の固定により天井への取付固定が安定し、ケース１下端の枠２のゆがみが防止され、天井と枠２との間に隙間が発生するのを防止できる。また、長いグループの板バネを３つまでとしたので、板バネの操作性を大きく低下させることもない。この態様は特に、３つ設けられた長さの長い第１板バネ３ａの１つを、安定器７が向けられている方向に対応させて配置することで、安定器等が付いて不安定となりがちな天井埋込型照明器具の天井への取付を安定させることができる。
【００１７】
実施の形態３
図６は本発明の実施の形態３に係る天井埋込型照明器具の斜視図、図７は図６の照明器具を天井に固定するための板バネの配置説明図である。なお、この実施の形態３に係る天井埋込型照明器具も、板バネの構成を除いて上記実施の形態１と同じとなっている。
【００１８】
この場合の板バネは、一対の第３板バネ３ｃ，３ｃと、第３板バネ３ｃより長さの短い一対の第４板バネ３ｄ，３ｄと、第４板バネ３ｄより長さの短い一対の第５板バネ３ｅ，３ｅとからなる。そして、第３板バネ３ａ，３ａ、第４板バネ３ｄ，３ｄおよび第５板バネ３ｅ，３ｅをそれぞれケース１を挟んで対向配置させる。すなわち、ケース１の光出口１ａ方向から見た板バネの配置は図７に示すようになっている。なお、各板バネの配置はこれに限定されるものではないが、一対の第３板バネ３ｃ，３ｃの対向方向と直交する方向に第４板バネ３ｄ，３ｄあるいは第５板バネ３ｅ，３ｅのいずれか１組を直交させて配置するのが好ましい。
【００１９】
第３板バネ３ｃ、第４板バネ３ｄ、第５板バネ３ｅの間の長さの相違は、少なくとも天井の板厚分は相違させるものとし、第４板バネ４ｄは第１板バネ３ｃの２／３程度に、第５板バネ３ｅは第１板バネ３ｃの１／３程度とするのがより好ましい。それにより、照明器具を天井に取付る際の操作性がより向上するからである。
なお、第３板バネ３ｃ、第４板バネ３ｄ、第５板バネ３ｅの枠２側を根本部３ｃｒ，３ｄｒ，３ｅｒとし、それら板バネの開放端側を先端部３ｃｔ，３ｄｔ，３ｅｔとし、第３および第４板バネの先端部３ｃｔ，３ｄｔには天井の開口部周縁に引掛り可能な折曲部を設けている。
【００２０】
次に、上記照明器具の天井への取付方法の一例を説明する。まず、第３板バネ３ｃ，３ｃを操作しながら安定器７およびケース１を第３板バネ３ｃ，３ｃとともに天井の開口部から天井裏へ挿入し、第１板バネ３ｃ，３ｃの先端部（折曲部）３ｃｔを天井の開口部周縁に掛止させて、照明器具を仮止めする。続いて、第４板バネ３ｄ，３ｄを操作しながら安定器７およびケース１を第３板バネ３ｃ，３ｃおよび第４板バネ３ｄ，３ｄとともに天井の開口部内へ更に挿入し、第４板バネ３ｄ，３ｄの先端部（折曲部）３ｄｔを天井の開口部周縁に掛止させる。続いて、第５板バネ３ｅ，３ｅを操作しながら安定器７およびケース１を第３板バネ３ｃ，３ｃ、第４板バネ３ｄ，３ｄおよび第５板バネ５ｅ，５ｅとともに天井の開口部内へ更に挿入し、枠２が天井の開口部周縁に届くまで押し込む。こうすることで、第３板バネ３ｃ，３ｃ、第４板バネ３ｄ，３ｄおよび第５板バネ５ｅ，５ｅの根本部３ｃｒ，３ｄｒ、３ｅｒがその弾性力により開口部周縁の内面を押し広げるよう開口部周縁に当たって係合し、照明器具が天井に固定される。
【００２１】
実施の形態３の天井埋込型照明器具によれば、対向配置された３組の板バネ３ｃ，３ｄ，３ｅによる６カ所の固定により天井への取付が安定し、ランプケース下端の枠のゆがみが防止され、天井と枠との間に隙間が発生するのを防止できる。また、異なる３種類の長さの板バネ３ｃ，３ｄ，３ｅをそれぞれ対にしているので、長い方の板バネの組から短い方の板バネの組に順に操作でき、その取付作業は容易に行える。この取付形態は、特に光出口径が大きな照明装置の取り付けに効果を有するものである。
【００２２】
以上本発明の実施の形態を説明したが、次のような変形も可能である。例えば、照明器具を天井に仮止めするための手段は、板バネの先端に設けた折曲部に限られるものではなく、板バネの先端に同等の作用を果たす係止片等を取り付けても良い。そのような折曲部や係止片は、照明器具を天井に取り付ける際の作業性を大きく向上させるものである。
また、実施の形態１〜３の中で、第１板バネ同士、第２板バネ同士、第３板バネ同士、第４板バネ同士並びに第５板バネ同士は、全て同じ板バネ長さを有するものとして説明したが、それらの長さを先に定めた板バネ長さ条件の範囲内で適宜相違させても良い。
また、本発明は、ケース１内にランプを横あるいは縦のいずれの方向に配置する照明器具であっても適用できる。
【図面の簡単な説明】
【００２３】
【図１】本発明の実施の形態１に係る天井埋込型照明器具の斜視図である。
【図２】図１の照明器具を天井に固定するための板バネの配置説明図である。
【図３】図１の照明器具の天井への取付説明図である。
【図４】本発明の実施の形態２に係る天井埋込型照明器具の斜視図である。
【図５】図４の照明器具を天井に固定するための板バネの配置説明図である。
【図６】本発明の実施の形態３に係る天井埋込型照明器具の斜視図である。
【図７】図６の照明器具を天井に固定するための板バネの配置説明図である。
【符号の説明】
【００２４】
１  ランプケース、１ａ  ランプケースの光出口、１ｂ  ランプの側面、２  枠、３ａ  第１板バネ、３ｂ  第２板バネ、３ｃ  第３板バネ、３ｄ  第４板バネ、３ｅ  第５板バネ、３ａｒ，３ｂｒ，３ｃｒ，３ｄｒ，３ｅｒ  板バネの根本部、３ａｔ，３ｂｔ，３ｃｔ，３ｄｔ，３ｅｔ  板バネの先端部、５  天板、６  安定器、７  電源端子台、８  天井、９  天井の開口部。
【図１】
2006040773.tif 000003
【図２】
2006040773.tif 000004
【図３】
2006040773.tif 000005
【図４】
2006040773.tif 000006
【図５】
2006040773.tif 000007
【図６】
2006040773.tif 000008
【図７】
2006040773.tif 000009